(57)【要約】【課題】より頑丈なセラミック放電容器を提供する。【解決手段】ランプのための放電容器１０において、中空のセラミックのボディ１２と、ボディの同じ側から延びた２つのセラミックの毛管１４とが設けられており、２つの毛管がそれぞれ、ボディ内へ延びた個々の電極１６を受容するように配置及び適合されており、２つの毛管の間に、２つの毛管の長さに沿って該２つの毛管を互いに接合するウェブ２０が設けられている。【選択図】図１
2007005301.tif 000002
【特許請求の範囲】
【請求項１】
ランプのための放電容器において、
中空のセラミックのボディと、
該ボディの同じ側から延びた２つのセラミックの毛管とが設けられており、該２つの毛管がそれぞれ、前記ボディ内へ延びた個々の電極を受容するように配置及び適合されており、
前記２つの毛管の間に、２つの毛管の長さに沿って該２つの毛管を互いに接合するウェブが設けられていることを特徴とする、ランプのための放電容器。
【請求項２】
前記ウェブが、前記毛管及びボディと一体的でありかつ、毛管及びボディと同じ材料から形成されている、請求項１記載の放電容器。
【請求項３】
前記ウェブが、前記２つの毛管の間において互いに集束する向き合った面を有しており、これにより、前記２つの毛管及び前記ウェブが８の字形の断面を形成している、請求項１記載の放電容器。
【請求項４】
前記ウェブが、互いに対して平行な向き合った面を有している、請求項１記載の放電容器。
【請求項５】
前記向き合った面が、前記２つの毛管に対して接線方向に延びている、請求項４記載の放電容器。
【請求項６】
前記向き合った面が、前記毛管の直径よりも小さな距離だけ間隔を置いて配置されている、請求項４記載の放電容器。
【請求項７】
前記ウェブが、前記２つの毛管の間において互いから拡開する向き合った面を有しており、これにより、前記２つの毛管及び前記ウェブが楕円形の断面を形成している、請求項１記載の放電容器。
【請求項８】
前記２つの毛管が、平行な長手方向軸線を有している、請求項１記載の放電容器。
【請求項９】
それぞれが前記２つの毛管の個々の１つを通って延びた２つの電極が設けられており、該２つの電極が、互いに対して平行な長手方向軸線を有している、請求項８記載の放電容器。
【請求項１０】
それぞれが前記２つの毛管の個々の１つを通って延びた２つの電極が設けられており、前記２つの電極が、互いから拡開する長手方向軸線を有している、請求項８記載の放電容器。
【請求項１１】
前記２つの毛管が、互いから拡開する長手方向軸線を有している、請求項１記載の放電容器。
【請求項１２】
前記ウェブが、前記２つの毛管の遠位端部の間に設けられておりかつ、該遠位端部を互いに接合している、請求項１記載の放電容器。
【請求項１３】
前記ウェブが、前記２つの毛管の間に該毛管の全長に亘って設けられており、前記２つの毛管を互いに接合している、請求項１記載の放電容器。
【請求項１４】
前記ウェブが、長手方向開口を有している、請求項１記載の放電容器。
【請求項１５】
ウェブが、毛管の長さの少なくとも半分だけ延びている、請求項１記載の放電容器。
【請求項１６】
ウェブが、少なくとも１つの開口を有している、請求項１記載の放電容器。
【請求項１７】
ウェブが、ボディに隣接した開口を有している、請求項１記載の放電容器。
【請求項１８】
ランプのための放電容器において、
中空のセラミックのボディと、
該ボディの同じ側から延びた２つのセラミックの毛管とが設けられており、該２つの毛管がそれぞれ、前記ボディ内へ延びた個々の電極を受容するように配置及び適合されており、
前記ボディから間隔を置いて前記２つの毛管の間に配置されておりかつ、それぞれが前記２つの毛管を互いに接合している複数の、間隔を置いて配置されたウェブ区分が設けられていることを特徴とする、ランプのための放電容器。
【発明の詳細な説明】
【技術分野】
【０００１】
本発明は、高輝度放電ランプのための放電容器に関する。特に、本発明は、メタルハライドランプのためのセラミック放電容器に関する。
【背景技術】
【０００２】
セラミック放電容器は、通常、例えば半透明多結晶酸化アルミニウム（ＰＣＡ）から成るセラミックボディと、それぞれボディから延びておりかつ電極を収容した２つのセラミック毛管とを有しており、電極の放電先端部がボディ内に位置している。電極はフリット材料によって個々のセラミック毛管に密封シールされている。電極は通常多数の区分、例えば、放電先端部として働く端部にタングステンコイルを有するタングステンシャフトに溶接されたニオビウムフィードスルー区分、を有している。ニオビウムは、セラミック毛管によってシールするためのより好適な熱膨張係数を有しており、タングステンは、アーク放電を維持するためのより好適な特性を有している。毛管は、フリットシールをアーク放電から十分に離れて配置させることができる延長部を有しており、これにより、フリットシールをより低い温度に保ち、メタルハライド塩との反応によるフリット材料の腐食の潜在性を減じる。
【０００３】
毛管は、２つの電極が同一線上に位置するようにボディの向き合った側に配置されることができる。択一的に、２つの毛管は、欧州特許出願第１１１１６５４号明細書に開示されているように、並置されるように、放電容器の同じ側から延びていることができる。後者の配列は、容器の全長をより小さくするという利点を有する。
【特許文献１】欧州特許出願第１１１１６５４号明細書
【発明の開示】
【発明が解決しようとする課題】
【０００４】
本発明の目的は、より頑丈なセラミック放電容器を提供することである。
【０００５】
本発明の別の目的は、セラミックボディと、ボディの同じ側から延びた２つの毛管と、２つの毛管の間において互いに接合する強化材料のウェブとを有する新規のセラミック放電容器を提供することである。
【０００６】
発明のこれらの及びその他の目的及び利点は、以下の図面及び好適な実施形態の詳細な説明を考慮した後に本発明の当業者に明らかになるであろう。
【発明を実施するための最良の形態】
【０００７】
ここで図１を参照すると、本発明の実施形態は、中空のセラミックボディ１２と、ボディ１２の同じ側から延びた２つの毛管１４とを有するセラミック放電容器１０である。この実施形態において、放電容器のボディは実質的に球状であるので、同じ側とは、セラミックボディの同じ半球を指している。２つの毛管１４はそれぞれ個々の電極１６を収容しており、電極の放電先端部１８はボディ１２内に位置しており、電極の反対側の端部は個々の毛管から延びている。材料のウェブ２０は、２つの毛管１４の間に配置されており、その長さのほとんどに沿って毛管を互いに接合させている。ウェブ２０は、毛管と共に、Ｉビームに類似の構造を形成することによって放電容器１０の強度を増大し、Ｉビームの強度は毛管だけの強度よりも優れている。
【０００８】
図２Ａ〜Ｄは毛管１４及びウェブ２０の択一的な端部を示している。図２Ａは、ウェブ２０の向き合った側２２が互いに対して平行でありかつ毛管１４の直径よりも小さな距離だけ間隔を置いて配置されていることを示している。図２Ｂは、ウェブ２０の向き合った側２２が互いに対して平行でありかつ毛管１４の直径とほぼ同じ距離だけ間隔を置いて配置されており、これにより、向き合った側２２が毛管１４に対して接線方向であることを示している。図２Ｃは、向き合った面２２が２つの毛管１４の間において互いに向かって集束しており、これにより、２つの毛管とウェブ２０とが８の字形の断面を形成していることを示している。図２Ｄは、向き合った面２２が２つの毛管１４の間において互いから拡開しており、これにより、２つの毛管とウェブ２０とが楕円形の断面を形成していることを示している。
【０００９】
毛管１４は概してここでは、環状の断面を有する管として示されている。楕円形及び多角形を含むその他の断面形状も可能である。さらに、ウェブは２つの毛管と一体的であるか、又は別個の部材であることができる。好適には２つの毛管１４はボディ１２と同じ材料から形成されており、好適にはウェブ２０は２つの毛管と同じ材料から形成されているが、同様の結果を提供するその他の材料が使用されることができる。ボディ２０は、球状、楕円形及び円筒状を含むあらゆる適切な形状を有することができる。好適には、毛管と、ウェブと、放電容器のボディの少なくとも部分（例えば１つの半球）は、セラミック材料、好適には多結晶酸化アルミニウムから一体的に形成されている。
【００１０】
図３を参照すると、２つの毛管１４は、互いから拡開した（例えば２〜１５°）長手方向軸線（及び個々の電極１６）を有することができる。この配列は、２つの電極が電極先端部１８において互いに最も近く、これにより、放電が先端部にとどまり、ボディに向かって電極を伝わらないことを保証する。アーク放電のための安定した位置は、集中したビーム用途のために、全ての場合に放電容器の壁部への損傷を回避するために重要である。図４は、２つの毛管１４が、平行な長手方向軸線を有しているが、２つの電極１６が互いから拡開した長手方向軸線を有することを示している。
【００１１】
ウェブ２０は、所要の強度を提供する長さまで長手方向に延びている。ウェブ２０の好適な長さは毛管１４の長さの少なくとも半分である。ウェブ２０は、図３に示したように、ボディ１２に隣接した空間２６を残しながら、毛管の遠位端部２４を接合しているか、又は図４に示したように、互いに取り付けられていない遠位端部２４を残すことができる。ウェブ２０は、図２Ｄ及び図３に、長手方向に延びていてかつ一方又は両方の端部において閉じられている又は開放している開口３０として示したように、長手方向の中空の空間をも有することができる。
【００１２】
図５に示された択一的な実施形態は、複数の（好適には少なくとも２つの）、間隔を置いて配置されたウェブ区分３２′，３２′′，３２′′′を有しており、これらのウェブ区分は２つの毛管１４を互いに接合させている。毛管及びウェブ区分は、上述のものと同様の断面を有している。好適には、ウェブ区分は、放電容器のボディから間隔を置いて配置されており、毛管の遠位端部において又はその近くにおいてウェブ区分のうちの１つを有している。この実施形態の複数のウェブ区分及び毛管は、毛管だけの場合よりも強いトラス状構造を形成している。
【００１３】
本発明の放電容器は、等静圧圧縮成形（isopressing）、射出成形、ゲルキャスティング、スリップ注型法又はその他の公知のセラミック成形法によって形成されることができる。容器は、２つ又は３つ以上の異なって成形された部品として形成されることができ、これらの部品は、次いで慣用の手段によって接合される。第１の部品は、ボディの半分（例えば半球）を含み、第２の部品は、ボディの他方の半分と、２つの毛管と、ウェブとを含むことができる。第１の部品は、保持するのが困難であるので、第１の部品に第２の部品を取り付ける間、第１の部品を保持しやすくするために、第１の部品に小さな外部ポスト（図示せず）が一時的に取り付けられることができる。未焼結状態における２つのセラミック部品を接合する方法は、引用したことにより本明細書に記載されたこととされる米国特許第６６２０２７２号明細書に記載されている。
【００１４】
本発明の実施形態は前の明細書及び図面に説明されているが、本発明は、明細書及び図面に照らして読まれた場合に請求項によって定義されることが理解されるべきである。
【図面の簡単な説明】
【００１５】
【図１】本発明の実施形態の断面図である。
【図２】本発明の実施形態の毛管及びウェブの択一的な端面図である。
【図３】本発明の別の実施形態の絵画的表現図である。
【図４】本発明のさらに別の実施形態の断面図である。
【図５】複数のウェブ区分を示す本発明の別の実施形態の絵画的表現図である。
【符号の説明】
【００１６】
１０  放電容器、  １２  ボディ、  １４  毛管、  １６  電極、  １８  放電先端部、  ２０  ウェブ、  ２２  向き合った側、  ２４  遠位端部、  ２６  空間、  ３０  開口、  ３２′，３２′′，３２′′′  ウェブ区分、
【図１】
2007005301.tif 000003
【図２】
2007005301.tif 000004
【図３】
2007005301.tif 000005
【図４】
2007005301.tif 000006
【図５】
2007005301.tif 000007
【外国語明細書】
2007005301.tif 000008
2007005301.tif 000009
2007005301.tif 000010
2007005301.tif 000011
2007005301.tif 000012
2007005301.tif 000013
2007005301.tif 000014
2007005301.tif 000015
2007005301.tif 000016
2007005301.tif 000017
2007005301.tif 000018
2007005301.tif 000019
2007005301.tif 000020
2007005301.tif 000021